(57)【要約】【課題】金属製等の針等を使わないで，衣服等に糸を通すことを可能にする糸を提供する。【解決手段】太さ直径０．４ミリメートルから０．８ミリメートル（望ましくは０．５５９ミリメートル）で，標準強力１０キログラムから２０キログラム（望ましくは１６．６キログラム）で，フロロカーボン１００％素材等の糸の先端１Ａを，鋭利にしたことを特徴とする。そうすれば，糸が針の役目をして，別に針を用意する必要なく，衣服の修繕等が簡単にできる。【選択図】  図１
2005200816.tif 000002
【特許請求の範囲】
【請求項１】
太さ直径０．４ミリメートルから０．８ミリメートル（望ましくは０．５５９ミリメートル）で，標準強力１０キログラムから２０キログラム（望ましくは１６．６キログラム）で，フロロカーボン１００％素材等の糸の先端を，鋭利にし，針の機能も有するようにした糸。
【請求項２】
請求項１の糸について，鋭利にした先端から３０センチメートルから４０センチメートルの長さまでを請求項１の太さにし，そこから，０．３センチメートルから３センチメートルの間に，同素材で，太さの直径をその４分の３から６分の１の太さになるようになだらかに細くしていき，同素材で，その細くした太さが１メートルから２メートル続く糸。
【請求項３】
請求項１の糸について，鋭利にした先端から３０センチメートルから４０センチメートルの長さに切り，鋭利にした先端とは逆の側の先端部分に木綿，ポリエステル等の糸を接合した糸。
【発明の詳細な説明】
【発明の詳細な説明】
【技術分野】
【０００１】  本発明は，糸の先端を鋭利にし衣服の修繕の際に衣服等に糸を通して縫うことを可能にした糸に関する発明である。
【背景技術】
【０００２】  従来は，衣服の修繕の際などに，衣服等に糸を通して縫うためには，金属製などの針の穴に糸を付けて，針を使って縫うことが行われてきた。
【発明が解決しようとする課題】
【０００３】  しかしながら，縫うために金属製の針を用いると，手につきさすなど，大変危険であった。また，縫うときに，針と糸の両方を道具として必要としたため，どちらかがないと，縫うことができないという問題点があった。そのため，出先などで，ボタンが取れたときには針を持っていないことが多く，ボタンをとめることができなくて困るということが多かった。
【課題を解決するための手段】
【０００４】  本発明は，糸の先端を鋭利にすることにより，糸に針の機能ももたせることを可能にし，上記課題を解決したものである。
【０００５】  つまり，糸の先端を鋭利にすれば，その鋭利な部分を衣服等に通すことで，糸を衣服等に通すことが可能になり，糸が針の機能も果たすことになるのである。
衣服などを縫う際に，糸が針の役目をするためには，糸にある程度の太さと強度が必要であり，太さ直径０．４ミリメートルから０．８ミリメートル（望ましくは０．５５９ミリメートル）で，標準強力１０キログラムから２０キログラム（望ましくは１６．６キログラム）である必要がある。そして，素材としては，フロロカーボン１００％等の釣り糸等に用いられる素材にする必要がある。
その糸の先端部分を，鋭利にすることで，針としての機能も有することができる。これが，請求項１の針の機能も有する糸である。この請求項１の糸さえあれば，衣服等に糸を通すことが簡単にできる。
【０００６】  請求項１の糸だけでも，針の機能を有する糸として，十分である。
もっとも，太さが０．４センチメートルから０．８センチメートルだと，衣服の修繕の際には，糸が太すぎるため，糸を結ぶときなど，使いづらい可能性もある。そこで，鋭利な先端から３０センチメートルから４０センチメートルまでを，太さ直径０．４ミリメートルから０．８ミリメートルのままにし，そこから，０．３センチメートルから３センチメートルの間で，同素材で，その４分の３から６分の１の太さになるようになだらかに細くしていき，同素材で，その細くした太さが１メートルから２メートル続くようにする。これが，請求項２で記載した糸である。こうすれば，太すぎて，糸を結ぶときなどに太すぎて困るということが生じないですむ。
あるいは，鋭利な先端から３０センチメートルから４０センチメートルで糸を切断し，鋭利な先端とは逆のもう一方の先端に，細い木綿，ポリエステル等の糸，ミシン糸，釣り糸等を接合することで，糸を細くすることで，太すぎて使いづらいという問題を解決することができる。これが，請求項３の糸である。
【発明を実施するための最良の形態】
【０００７】  以下，図面を参照し，実施の形態の例を説明する。
図４は，請求項１の糸の実施例を示した物である。
図４において、先端部分４Ａは、すべて素材は，フロロカーボン１００％にする。そして，４Ｂの部分は，太さ直径０．４ミリメートルにする。４Ａの部分は，斜めに切断し，鋭利にしている。４Ａの部分の長さは、０．５ミリメートルにする。４Ｂの長さは、いくら長くてもよい。
図４の糸さえあれば、衣服にこの糸を通すことが可能になり、別に針がなくても、修繕が可能になる。【０００８】  図１，図２は，請求項２の糸の実施の例を示している。
図１において，すべて素材は，フロロカーボン１００％にする。そして，１Ｂの部分は，太さ直径０．５５９ミリメートルで，長さを４００ミリメートルにする。１Ａの部分は，斜めに切断し，鋭利にしている。鋭利な部分である１Ａは，０．５ミリメートルの長さにする。１Ｃの部分は，５ミリメートル程度の長さで，太さを直径０．２ミリメートルなるまでなだらかに細くしている部分である。１Ｄは，太さ直径０．２メートルで，２メートルの長さがある。
図１において，先端部分１Ａは，斜めに切断され鋭利になっているが，図２の先端部分２Ａにあるように，円錐状に鋭利にしてもよい。要するに，鋭利にし，衣服等が貫通できるようにしておけばよいのである。
このようにしておけば，糸に針がすでについているのと同じ状態になるから，出先などで，ボタンがはずれた場合には，本発明の糸さえ持っていれば，ボタンを緊急に，とめることが可能になるのである。そして，本発明の先端は，鋭利であるので，衣服等を修繕などした場合に，鋭利な部分が気になる場合にはそこを切断してしまえばよい。そうすれば，危険はない。また，鋭利とはいえ，衣服を通すことができる程度の強度であるから，そのまま放置して，衣服につけたままでも大丈夫である。【０００８】  図３は，請求項３の実施例である。
図３は，図１のように，糸全部が同じフロロカーボン素材を用いるのではなく，図１の１Ｃ、１Ｄの部分のかわりに，木綿等の糸をつかうようにしたものであり，木綿の糸３Ｄを用い、接着剤３Ｃで接合している。【０００９】  本発明の糸を使用していて，鋭利な先端部分が鋭利でなくなったら，自分ではさみやカッターナイフなどで斜めに切断すれば鋭利になり，十分なものではないが針として使うことが可能である。そのために，図１の１Ｂの部分は，４０センチメートルと，多少長めにしてある。
【発明の効果】
【０００１０】  以上のように，請求項１の発明によれば，針がなくても，簡単に衣服等を修繕等することが可能になるのである。金属製の針等を用いることなく，縫うことが可能になるのであり，本発明も多少は鋭利であるが従来の金属等の針にくらべて安全性が高く，子供・老人等も扱える。さらに，本発明は，糸と針が一体となっているため，針穴に糸を通さなくてもよいから，とくに，老人等にとって非常に楽に，衣服修繕が可能になる。
針と糸の両方を持っている必要がなく，本発明の糸さえもっていれば，出先でも，例えば，ボタンがとれたときなど，簡易的にボタンをつけることが可能になり，非常に便利である。
【図面の簡単な説明】
2005200816.tif 000003
本発明の糸の斜視図である。
【符合の説明】
１Ａ  先端部分
１Ｂ  太さ直径０．５５９ミリメートルの部分
１Ｃ  なだらかに細くしている部分
１Ｄ  太さ直径０．２メートルで，２メートルの長さの部分
２Ａ  先端部分
２Ｂ  太さ直径０．５５９ミリメートルの部分
２Ｃ  なだらかに細くしている部分
２Ｄ  太さ直径０．２メートルで，２メートルの長さの部分
３Ａ  先端部分
３Ｂ  太さ直径０．５５９ミリメートルの部分
３Ｃ  接着剤
３Ｄ  木綿の糸
４Ａ  先端部分
４Ｂ  太さ直径０．４ミリメートルの部分
【図１】
2005200816.tif 000004
【図２】
2005200816.tif 000005
【図３】
2005200816.tif 000006
【図４】
2005200816.tif 000007